(57)【特許請求の範囲】
【請求項１】
第１の端末と、
第２の端末と、
中継サーバと
を備え、
前記端末のそれぞれは、
網を介して前記中継サーバと接続し、
前記中継サーバは、
デジタルデータを格納するデータベースと、
前記デジタルデータを指定するデータ指定データと、前記第２の端末を共有先として指定する共有先指定データとの組を格納するプロファイルと、
第１のポータルと
を備え、
前記第１の端末は、
前記デジタルデータ、前記データ指定データと前記共有先指定データとを前記中継サーバに送信し、
前記第２の端末は、
自動接続先情報を予め格納し、前記第２の端末のユーザからの指示に応答して前記自動接続先情報に基づいて、前記第２の端末を指定する端末指定データを含む接続要求を前記中継サーバに送信し、
前記中継サーバは、
前記第１の端末からの前記デジタルデータを前記データベースに格納し、前記データ指定データと前記共有先指定データとの組を前記プロファイルに格納し、前記第２の端末からの前記接続要求に応答して、前記端末指定データに基づいて前記プロファイルを参照して前記データ指定データを読み出し、前記読み出されたデータ指定データに基づいて前記データベースから前記デジタルデータを読み出して前記第１のポータルに格納し、前記端末指定データに基づいて前記デジタルデータを前記第１のポータルから前記第２の端末に提示するものであり、
前記共有先指定データと、前記自動接続先情報と、前記端末指定データとには、
ＩＰアドレスを含み、
前記中継サーバは、
第２のポータルを更に含み、前記第２の端末からの前記接続要求に応答して、前記プロファイルを参照し、前記端末指定データと前記共有先指定データとのぞれぞれの前記ＩＰアドレスを比較し、一致するものがない場合には、前記端末指定データに基づいて前記第２のポータルから前記第２の端末にデジタルデータを提示する
デジタルデータ共有サービスシステム。
【請求項２】
第１の端末と、
第２の端末と、
中継サーバと
を備え、
前記端末のそれぞれは、
網を介して前記中継サーバと接続し、
前記中継サーバは、
デジタルデータを格納するデータベースと、
前記デジタルデータを指定するデータ指定データと、前記第２の端末を共有先として指定する共有先指定データとの組を格納するプロファイルと、
第１のポータルと
を備え、
前記第１の端末は、
前記デジタルデータ、前記データ指定データと前記共有先指定データとを前記中継サーバに送信し、
前記第２の端末は、
自動接続先情報を予め格納し、前記第２の端末のユーザからの指示に応答して前記自動接続先情報に基づいて、前記第２の端末を指定する端末指定データを含む接続要求を前記中継サーバに送信し、
前記中継サーバは、
前記第１の端末からの前記デジタルデータを前記データベースに格納し、前記データ指定データと前記共有先指定データとの組を前記プロファイルに格納し、前記第２の端末からの前記接続要求に応答して、前記端末指定データに基づいて前記プロファイルを参照して前記データ指定データを読み出し、前記読み出されたデータ指定データに基づいて前記データベースから前記デジタルデータを読み出して前記第１のポータルに格納し、前記端末指定データに基づいて前記デジタルデータを前記第１のポータルから前記第２の端末に提示するものであり、
前記中継サーバは、
有料コンテンツを格納する課金用データベースと、
前記有料コンテンツを指定するコンテンツ指定データと、課金対象端末を指定する課金先指定データとの組を格納する課金用プロファイルと
を更に備え、
課金に承諾したユーザからの指示による前記第２の端末からの前記接続要求に応答して、前記課金先指定データを課金用プロファイルに格納し、前記コンテンツ指定データを課金用プロファイルから読み出し、前記読み出されたコンテンツ指定データに基づいて前記課金用データベースから前記有料コンテンツを読み出して前記第１のポータルに格納し、前記端末指定データに基づいて前記有料コンテンツを前記第１のポータルから前記第２の端末に提示する課金処理手段を更に含む
デジタルデータ共有サービスシステム。
【請求項３】
第１の端末と、
第２の端末と、
中継サーバと
を備え、
前記端末のそれぞれは、
網を介して前記中継サーバと接続し、
前記中継サーバは、
デジタルデータを格納するデータベースと、
前記デジタルデータを指定するデータ指定データと、前記第２の端末を共有先として指定する共有先指定データとの組を格納するプロファイルと、
第１のポータルと
を備え、
前記第１の端末は、
前記デジタルデータ、前記データ指定データと前記共有先指定データとを前記中継サーバに送信し、
前記第２の端末は、
自動接続先情報を予め格納し、前記第２の端末のユーザからの指示に応答して前記自動接続先情報に基づいて、前記第２の端末を指定する端末指定データを含む接続要求を前記中継サーバに送信し、
前記中継サーバは、
前記第１の端末からの前記デジタルデータを前記データベースに格納し、前記データ指定データと前記共有先指定データとの組を前記プロファイルに格納し、前記第２の端末からの前記接続要求に応答して、前記端末指定データに基づいて前記プロファイルを参照して前記データ指定データを読み出し、前記読み出されたデータ指定データに基づいて前記データベースから前記デジタルデータを読み出して前記第１のポータルに格納し、前記端末指定データに基づいて前記デジタルデータを前記第１のポータルから前記第２の端末に提示するものであり、
前記中継サーバは、
広告データを格納する広告データベースと、
前記広告データを指定する広告データ指定データと配信条件を指定する配信条件データとの組を格納する広告条件プロファイルと、
広告表示の可否情報を格納する広告プレゼンスと
を更に備え、
広告の表示に承諾したユーザからの指示による前記第２の端末からの前記接続要求に応答して、前記広告表示の可否情報を前記広告プレゼンスに格納し、前記広告条件プロファイルを参照して前記配信条件データに基づいて前記広告データ指定データを読み出し、前記読み出された広告データ指定データに基づいて前記広告データベースから前記広告データを読み出して前記第１のポータルに格納し、前記端末指定データに基づいて前記広告データを前記第１のポータルから前記第２の端末に提示する広告配信手段を更に含む
デジタルデータ共有サービスシステム。
【請求項４】
請求項１乃至３のいずれか１項に記載のデジタルデータ共有サービスシステムであって、
前記網は、
ケーブルテレビ（ＣＡＴＶ）網であり、
前記中継サーバは、
前記ＣＡＴＶ網のヘッドエンドであり、
前記各端末は、
セットトップボックス（ＳＴＢ）である
デジタルデータ共有サービスシステム。
【請求項５】
請求項１乃至４のいずれか１項に記載のデジタルデータ共有サービスシステムで使用される
デジタルデータ共有サービスシステムの端末。
【請求項６】
請求項１乃至４のいずれか１項に記載のデジタルデータ共有サービスシステムで使用される
デジタルデータ共有サービスシステムの中継サーバ。
【請求項７】
第１の端末が、デジタルデータ、並びに前記デジタルデータを指定するデータ指定データ、及び第２の端末を共有先として指定する共有先指定データを中継サーバに送信するステップと、
前記中継サーバが、前記デジタルデータをデータベースに格納するステップと、
前記中継サーバが、前記データ指定データと前記共有先指定データとの組をプロファイルに格納するステップと、
自動接続先情報を予め格納した前記第２の端末が、前記第２の端末のユーザからの指示に応答して、前記自動接続先情報に基づいて、前記第２の端末を指定する端末指定データを含む接続要求を前記中継サーバに送信するステップと、
前記中継サーバが、前記第２の端末からの前記接続要求に応答して、前記端末指定データに基づいて前記プロファイルを参照して前記データ指定データを読み出し、前記読み出されたデータ指定データに基づいて前記データベースから前記デジタルデータを読み出して第１のポータルに格納し、前記端末指定データに基づいて前記デジタルデータを前記第１のポータルから前記第２の端末に提示するステップと、
前記第２の端末を共有先として指定する前記共有先指定データが前記プロファイルに格納されていない場合には、前記中継サーバが、前記第２の端末からの前記接続要求に応答して、第２のポータルに格納されたデジタルデータを前記第２の端末に提示するステップと
を備える
デジタルデータ共有サービス方法。
【請求項８】
第１の端末が、デジタルデータ、並びに前記デジタルデータを指定するデータ指定データ、及び第２の端末を共有先として指定する共有先指定データを中継サーバに送信するステップと、
前記中継サーバが、前記デジタルデータをデータベースに格納するステップと、
前記中継サーバが、前記データ指定データと前記共有先指定データとの組をプロファイルに格納するステップと、
自動接続先情報を予め格納した前記第２の端末が、前記第２の端末のユーザからの指示に応答して、前記自動接続先情報に基づいて、前記第２の端末を指定する端末指定データを含む接続要求を前記中継サーバに送信するステップと、
前記中継サーバが、前記第２の端末からの前記接続要求に応答して、前記端末指定データに基づいて前記プロファイルを参照して前記データ指定データを読み出し、前記読み出されたデータ指定データに基づいて前記データベースから前記デジタルデータを読み出して第１のポータルに格納し、前記端末指定データに基づいて前記デジタルデータを前記第１のポータルから前記第２の端末に提示するステップと、
前記第２の端末が、課金に承諾した前記第２の端末のユーザからの指示に応答して、前記自動接続先情報に基づいて、前記第２の端末を指定する前記端末指定データを含む接続要求を前記中継サーバに送信するステップと、
前記中継サーバが、前記第２の端末からの前記接続要求に応答して、前記端末指定データを課金用プロファイルに格納するステップと
を備える
デジタルデータ共有サービス方法。
【請求項９】
第１の端末が、デジタルデータ、並びに前記デジタルデータを指定するデータ指定データ、及び第２の端末を共有先として指定する共有先指定データを中継サーバに送信するステップと、
前記中継サーバが、前記デジタルデータをデータベースに格納するステップと、
前記中継サーバが、前記データ指定データと前記共有先指定データとの組をプロファイルに格納するステップと、
自動接続先情報を予め格納した前記第２の端末が、前記第２の端末のユーザからの指示に応答して、前記自動接続先情報に基づいて、前記第２の端末を指定する端末指定データを含む接続要求を前記中継サーバに送信するステップと、
前記中継サーバが、前記第２の端末からの前記接続要求に応答して、前記端末指定データに基づいて前記プロファイルを参照して前記データ指定データを読み出し、前記読み出されたデータ指定データに基づいて前記データベースから前記デジタルデータを読み出して第１のポータルに格納し、前記端末指定データに基づいて前記デジタルデータを前記第１のポータルから前記第２の端末に提示するステップと、
前記第２の端末が、広告の表示に承諾した前記第２の端末のユーザからの指示に応答して、前記自動接続先情報に基づいて、前記第２の端末を指定する前記端末指定データを含む接続要求を前記中継サーバに送信するステップと、
前記中継サーバが、前記第２の端末からの前記接続要求に応答して、前記端末指定データに基づいて広告条件プロファイルを参照して広告データ指定データを読み出し、前記読み出された広告データ指定データに基づいて広告データベースからデジタルデータを読み出して前記第１のポータルに格納し、前記端末指定データに基づいて前記デジタルデータを前記第１のポータルから前記第２の端末に提示するステップと
を備える
デジタルデータ共有サービス方法。
【請求項１０】
中継サーバが、デジタルデータ、並びにデータ指定データ、及び第２の端末を共有先として指定する共有先指定データを受信するステップと、
前記中継サーバが、前記デジタルデータをデータベースに格納するステップと、
前記中継サーバが、前記データ指定データと前記共有先指定データとの組をプロファイルに格納するステップと、
前記中継サーバが、自動接続先情報を予め格納した前記第２の端末からの、前記自動接続先情報に基づいた、前記第２の端末を指定する端末指定データを含む接続要求を受信するステップと、
前記中継サーバが、前記第２の端末からの前記接続要求に応答して、前記端末指定データに基づいて前記プロファイルを参照して前記データ指定データを読み出し、前記読み出されたデータ指定データに基づいて前記データベースから前記デジタルデータを読み出して第１のポータルに格納し、前記端末指定データに基づいて前記デジタルデータを前記第１のポータルから前記第２の端末に提示するステップと、
前記第２の端末を共有先として指定する前記共有先指定データが前記プロファイルに格納されていない場合には、前記中継サーバが、前記第２の端末からの前記接続要求に応答して、第２のポータルに格納されたデジタルデータを前記第２の端末に提示するステップと
を備える方法をコンピュータに実行させるためのプログラム。
【請求項１１】
中継サーバが、デジタルデータ、並びにデータ指定データ、及び第２の端末を共有先として指定する共有先指定データを受信するステップと、
前記中継サーバが、前記デジタルデータをデータベースに格納するステップと、
前記中継サーバが、前記データ指定データと前記共有先指定データとの組をプロファイルに格納するステップと、
前記中継サーバが、自動接続先情報を予め格納した前記第２の端末からの、前記自動接続先情報に基づいた、前記第２の端末を指定する端末指定データを含む接続要求を受信するステップと、
前記中継サーバが、前記第２の端末からの前記接続要求に応答して、前記端末指定データに基づいて前記プロファイルを参照して前記データ指定データを読み出し、前記読み出されたデータ指定データに基づいて前記データベースから前記デジタルデータを読み出して第１のポータルに格納し、前記端末指定データに基づいて前記デジタルデータを前記第１のポータルから前記第２の端末に提示するステップと、
前記第２の端末が、課金に承諾した前記第２の端末のユーザからの指示に応答して、前記自動接続先情報に基づいて送信する、前記第２の端末を指定する前記端末指定データを含む接続要求を前記中継サーバが受信するステップと、
前記中継サーバが、前記第２の端末からの前記接続要求に応答して、前記端末指定データを課金用プロファイルに格納するステップと
を備える方法をコンピュータに実行させるためのプログラム。
【請求項１２】
中継サーバが、デジタルデータ、並びにデータ指定データ、及び第２の端末を共有先として指定する共有先指定データを受信するステップと、
前記中継サーバが、前記デジタルデータをデータベースに格納するステップと、
前記中継サーバが、前記データ指定データと前記共有先指定データとの組をプロファイルに格納するステップと、
前記中継サーバが、自動接続先情報を予め格納した前記第２の端末からの、前記自動接続先情報に基づいた、前記第２の端末を指定する端末指定データを含む接続要求を受信するステップと、
前記中継サーバが、前記第２の端末からの前記接続要求に応答して、前記端末指定データに基づいて前記プロファイルを参照して前記データ指定データを読み出し、前記読み出されたデータ指定データに基づいて前記データベースから前記デジタルデータを読み出して第１のポータルに格納し、前記端末指定データに基づいて前記デジタルデータを前記第１のポータルから前記第２の端末に提示するステップと、
前記第２の端末が、広告の表示に承諾した前記第２の端末のユーザからの指示に応答して、前記自動接続先情報に基づいて送信する、前記第２の端末を指定する前記端末指定データを含む接続要求を前記中継サーバが受信するステップと、
前記中継サーバが、前記第２の端末からの前記接続要求に応答して、前記端末指定データに基づいて広告条件プロファイルを参照して広告データ指定データを読み出し、前記読み出された広告データ指定データに基づいて広告データベースからデジタルデータを読み出して前記第１のポータルに格納し、前記端末指定データに基づいて前記デジタルデータを前記第１のポータルから前記第２の端末に提示するステップと
を備える方法をコンピュータに実行させるためのプログラム。
【発明の詳細な説明】
【技術分野】
【０００１】
本発明は、ネットワークにおける個人間のデジタルデータ共有に関し、特にテレビ端末を用いたデジタルデータ共有サービスシステムに関する。
【背景技術】
【０００２】
コンピュータ、及び携帯電話等を端末として、インターネット等のコンピュータネットワークを介した写真、及び映像等のデジタルデータの共有がポータルサーバ等を介して実現されている。しかしながら、インターネットＷＥＢシステムによるデジタルデータの共有は、コンピュータ、及び携帯電話等を用いてインターネット環境を自由に使いこなせる人以外には利用ができない、すなわち、コンピュータリテラシー、及び携帯インターネットリテラシー等によって制約されるという問題があった。また、個人レベルでシステムに投稿した写真、及び映像等のデジタルデータを共有するためのテレビ端末による利用しやすいサービスを提供する基盤は存在していない。そもそも、テレビに、インターネットＷＥＢシステムの利用ができる機能を搭載するだけでは、コンピュータリテラシー、及び携帯インターネットリテラシーを持っている人には利用できるものの、そうでない人には利用ができないという問題が依然として残る。
【０００３】
上の記述に関連して、インターネットにおける共有資料を用いて会議を行う方法、会議システム、情報処理装置及び記録媒体が特開２００２−０４１４２９号公報に開示されている。この例では、インターネットポータルサイトによりＴＶ電話会議のサービスを提供し、会議参加者（ユーザ）が通信端末を用いるとともに、インターネットポータルサイトを通し、共有資料を用いてリアルタイムで会議を行うようにしている。また、会議参加者（ユーザ）のそれぞれの通信端末のディスプレイに、インターネットポータルサイトからダウンロードした資料がインターネットポータルサイトから配信される各種アプリケーションソフトによって表示されるようにしている。これによって、会議に用いられる共有の資料等の用意や保管を容易に行うことができ、その場で資料等に書き込みを行うこともでき、更にはアプリケーションソフトの違いやバージョンの違いによる不具合も解消することができるようにしている。
【０００４】
また、特開２００３−２５９３２７号公報には、ケーブルテレビ受信装置及び画像管理サーバが開示されている。これは、デジタルカメラがセットトップボックス（ＳＴＢ）に接続されると、ＳＴＢは接続を検出し、検出されたデジタルカメラの制御ドライバをＢＰＳ（ブロードバンド・プリンティング・システム）サーバからダウンロードしている。また、ＳＴＢは、ダウンロードされた制御ドライバを起動し、デジタルカメラから撮影画像データを読み出し、ＢＰＳサーバに登録している。そして、登録された撮影画像データは他のユーザにより閲覧することができるようにしている。これによって、ケーブルテレビのユーザにも画像配信の機会を与えるようにしている。
【０００５】
また、ＣＡＴＶ（Ｃａｂｌｅ  Ｔｅｌｅｖｉｓｉｏｎ）加入者用情報提供システムが、特開２００６−０７４５９９号公報で開示されている。これは、ＣＡＴＶシステムの加入者宅に設置されたＳＴＢから、各ＣＡＴＶシステムの加入者専用のＷＷＷ（Ｗｏｒｌｄ  Ｗｉｄｅ  Ｗｅｂ）サーバへの接続要求が送信されると、インターネット上の認証サーバが、その接続要求を送信してきた装置が予め登録されている正規のＳＴＢであるか否かを、各ＳＴＢに付与された識別情報（ＳＴＢＩＤ）に基づき判定し、正規のＳＴＢからの接続要求である場合に限って、そのＳＴＢを、対応するＣＡＴＶシステムのＷＷＷサーバに接続させるものである。これにより、開放型広域ネットワークに接続された情報提供サーバを利用して、ＣＡＴＶシステムの加入者に対する情報提供を行うシステムにおいて、加入者側の負担を招くことなく、情報提供サーバへの不正アクセスを防止できるようにしている。
【０００６】
そして、特開２００７−３３６０３０号公報においては、ＣＡＴＶポータル認証システムが開示されている。この例においては、ＳＴＢを特定する第１と第２の受信機情報を受信機より取得し、ポータル認証サーバにおいて、予め登録された第１と第２の受信機情報を関連付けて保持する保持部と、ＳＴＢから取得した第１の受信機情報と保持部に保持する第１の受信機情報とを比較判定する第１の比較判定部と、受信機から取得した第２の受信機情報と保持部に保持する該第１の受信機情報に関連付けられた第２の受信機情報を比較判定する第２の比較判定部とを設けている。これによって、データ放送によるポータルサービスとＶＯＤ（Ｖｉｄｅｏ  Ｏｎ  Ｄｅｍａｎｄ）サービスを組み合わせた双方向サービスを実施するＣＡＴＶシステムにおいて、ユーザが登録されたＣＡＳ（限定受信（Ｃｏｎｄｉｔｉｏｎａｌ  Ａｃｃｅｓｓ  Ｓｙｓｔｅｍｓ））カードとＳＴＢの組み合わせで視聴していることの確認を行えるポータル認証システムを提供している。
【先行技術文献】
【特許文献】
【０００７】
【特許文献１】特開２００２−０４１４２９号公報
【特許文献２】特開２００３−２５９３２７号公報
【特許文献３】特開２００６−０７４５９９号公報
【特許文献４】特開２００７−３３６０３０号公報
【発明の概要】
【発明が解決しようとする課題】
【０００８】
インターネットＷＥＢシステムによるデジタルデータの共有は、コンピュータ、及び携帯電話等を用いてインターネット環境を自由に使いこなせる人以外には利用ができない。また、個人レベルでシステムに投稿した写真、及び映像等のデジタルデータを共有するためのテレビ端末による利用しやすいサービスを提供する基盤は存在していない。
【０００９】
本発明の目的は、個人が共有先を指定して投稿したデジタルデータを格納して、当該の共有先からの接続要求に応答して自動的に当該デジタルデータを配信する、共有先にとってコンピュータリテラシーを必要としない簡単なサービス提供基盤である、デジタルデータ共有サービスシステムを提供することである。
【課題を解決するための手段】
【００１０】
本発明のデジタルデータ共有サービスシステムは、第１の端末と、第２の端末と、中継サーバとを備える。端末のそれぞれは、網を介して中継サーバと接続する。中継サーバは、デジタルデータを格納するデータベースと、デジタルデータを指定するデータ指定データと、第２の端末を共有先として指定する共有先指定データとの組を格納するプロファイルと、第１のポータルとを備える。第１の端末は、デジタルデータ、データ指定データと共有先指定データとを中継サーバに送信する。第２の端末は、自動接続先情報を予め格納し、第２の端末のユーザからの指示に応答して自動接続先情報に基づいて、第２の端末を指定する端末指定データを含む接続要求を中継サーバに送信する。中継サーバは、第１の端末からのデジタルデータをデータベースに格納し、データ指定データと共有先指定データとの組をプロファイルに格納し、第２の端末からの接続要求に応答して、端末指定データに基づいてプロファイルを参照してデータ指定データを読み出し、読み出されたデータ指定データに基づいてデータベースからデジタルデータを読み出して第１のポータルに格納し、端末指定データに基づいてデジタルデータを第１のポータルから第２の端末に提示する。
【００１１】
また、本発明のデジタルデータ共有サービス方法は、第１の端末が、デジタルデータ、並びにデジタルデータを指定するデータ指定データ、及び第２の端末を共有先として指定する共有先指定データを中継サーバに送信するステップを備える。また、中継サーバが、デジタルデータをデータベースに格納するステップと、データ指定データと共有先指定データとの組をプロファイルに格納するステップとを備える。また、自動接続先情報を予め格納した第２の端末が、第２の端末のユーザからの指示に応答して、自動接続先情報に基づいて、第２の端末を指定する端末指定データを含む接続要求を中継サーバに送信するステップを備える。そして、中継サーバが、第２の端末からの接続要求に応答して、端末指定データに基づいてプロファイルを参照してデータ指定データを読み出し、読み出されたデータ指定データに基づいてデータベースからデジタルデータを読み出して第１のポータルに格納し、端末指定データに基づいてデジタルデータを第１のポータルから第２の端末に提示するステップを備える。
【００１２】
また、本発明のプログラムは、中継サーバが、デジタルデータ、並びにデータ指定データ、及び第２の端末を共有先として指定する共有先指定データを受信するステップと、中継サーバが、デジタルデータをデータベースに格納するステップと、中継サーバが、データ指定データと共有先指定データとの組をプロファイルに格納するステップと、中継サーバが、自動接続先情報を予め格納した第２の端末からの、自動接続先情報に基づいた、第２の端末を指定する端末指定データを含む接続要求を受信するステップと、中継サーバが、第２の端末からの接続要求に応答して、端末指定データに基づいてプロファイルを参照してデータ指定データを読み出し、読み出されたデータ指定データに基づいてデータベースからデジタルデータを読み出して写真・映像共有ポータルに格納し、端末指定データに基づいてデジタルデータを第１のポータルから第２の端末に提示するステップとを備える方法をコンピュータに実行させる。
【００１３】
更に、本発明のプログラムは、第１の端末が、デジタルデータ、並びにデジタルデータを指定するデータ指定データ、及び第２の端末を共有先として指定する共有先指定データを中継サーバに送信するステップと、自動接続先情報を予め格納した第２の端末が、第２の端末のユーザからの指示に応答して、自動接続先情報に基づいて、第２の端末を指定する端末指定データを含む接続要求を中継サーバに送信するステップと、中継サーバが第２の端末からの接続要求に応答して第１のポータルから第２の端末に提示するデジタルデータを受信するステップとを備える方法をコンピュータに実行させる。
【発明の効果】
【００１４】
本発明によれば、個人が共有先を指定して投稿したデジタルデータを格納して、当該の共有先からの接続要求に応答して自動的に当該デジタルデータを配信する、共有先にとってコンピュータリテラシーを必要としない簡単なサービス提供基盤である、デジタルデータ共有サービスシステムを提供することが可能となる。
【図面の簡単な説明】
【００１５】
【図１】図１は本発明の第１の実施形態におけるデジタルデータ共有サービスの一例を示す写真・映像共有サービスシステムの構成図である。
【図２】図２は本発明の第１の実施形態における写真・映像共有サービスシステムの動作を示す構成図である。
【図３】図３は本発明の第１の実施形態におけるＳＴＢ間通話サービスの概略図である。
【図４】図４は本発明の第２の実施形態におけるＳＴＢ間写真共有サービスの概略図である。
【図５】図５は本発明の第２の実施形態におけるＳＴＢ間写真共有及び通話サービスの概略図である。
【図６】図６は本発明の第３の実施形態におけるＳＴＢ間写真ギャラリーサービスの概略図である。
【図７】図７は本発明の第４の実施形態におけるＳＴＢ間写真ギャラリーサービス広告モデルの概略図である。
【発明を実施するための形態】
【００１６】
（第１の実施形態）
以下に、添付図面を参照しながら、本発明の実施形態によるデジタルデータ共有サービスシステムを詳細に説明する。
【００１７】
図１は、本発明の実施形態におけるデジタルデータ共有サービスの一例を示す写真・映像共有サービスシステムの構成図である。図１を参照すると、本発明による写真・映像共有サービスシステムの実施の形態は、映像配信サービスシステムの中継サーバであるヘッドエンド（ＣＡＴＶ−ＨＥ）２００がアクセスネットワークの網を介して複数の各加入者宅の端末に接続している。ここで、ヘッドエンドとは、ケーブルテレビシステムで、地上波テレビ放送、ＦＭラジオ放送、放送衛星、通信衛星から受信した信号等をケーブルテレビ伝送ケーブルに送出する設備である。また、ヘッドエンドは、ユーザ宅に設置されるケーブル・モデムと対向で通信するインターネット用ケーブルテレビ局設備ＣＭＴＳ（Ｃａｂｌｅ  Ｍｏｄｅｍ  Ｔｅｒｍｉｎａｔｉｏｎ  Ｓｙｓｔｅｍ）のことを指し、イーサネット（登録商標）等を介してインターネット接続用ルーターにつなげられる。図上では、ヘッドエンドが、２世帯の加入者（Ａ及びＢ）宅に設置された、インターネット接続機能を有する放送受信用端末であるセットトップボックス（以下ＳＴＢ）８０及び８１に接続した例が示されている。映像配信サービスシステムのヘッドエンド２００は、図示せぬ主制御部と図示せぬ記憶部とを有しており、主制御部は記憶部に接続している。その記憶部は図示せぬ制御部を有しており、その制御部は主制御部が実行するプログラムが記録されている。
【００１８】
ヘッドエンド２００は更に、写真・映像情報ＤＢ（データベース）１０と、映像配信サービス加入者管理情報ＤＢ２０と、写真・映像共有プロファイル３０と、共有接続プロファイル４０と、情報ポータル５０と、写真・映像共有ポータル６０と、ＳＩＰ接続制御部７０と、アクセスネットワーク制御対応部１００とを有している。これらのヘッドエンド２００内の装置群は、ヘッドエンド２００内部に構築されたネットワークで相互に接続しており、また前述の主制御部とも接続している。また、ヘッドエンド２００内の装置群のそれぞれは、図示せぬ主制御部と図示せぬ記憶部とを有しており、主制御部は記憶部に接続している。その記憶部は図示せぬ制御部を有しており、その制御部は主制御部が実行するプログラムが記録されている。そして、ヘッドエンド２００において記憶部の制御部に記録されたプログラムを主制御部が実行することによって、ヘッドエンド２００内の装置群は協働する。ここで、ＳＩＰとはセッション確立プロトコル（Ｓｅｓｓｉｏｎ  Ｉｎｉｔｉａｔｉｏｎ  Ｐｒｏｔｏｃｏｌ）のことであり、インターネット電話等で用いられる、通話制御プロトコルの一つである。
【００１９】
写真・映像情報ＤＢ１０には、写真・映像共有サービス利用者（ここではＡが例示されている）ＩＤと関連付けられた写真・映像等の情報が図示せぬ記録媒体にデータベースとして記録されている。また、写真・映像情報ＤＢ１０には、サービス利用者がアップロードした共有したい写真及び映像等のデジタルデータであれば種類を問わず前述の記録媒体に追記することができる。
【００２０】
映像配信サービス加入者管理情報ＤＢ２０には、映像配信サービスの加入者管理情報が図示せぬ記録媒体にデータベースとして記録されている。すなわち、写真・映像共有サービスの利用者（ここでのＡ）だけでなく、それ以外の映像配信サービスの加入者（ここでのＢ）も含めた全員分の管理情報が既に作成されており、必要に応じて更新される。映像配信サービス加入者管理情報としては、映像配信サービスの加入者氏名、住所、郵便番号、固定電話番号、ＩＰ（Ｉｎｔｅｒｎｅｔ  Ｐｒｏｔｏｃｏｌ）電話番号、ＳＴＢのＩＰアドレス情報、契約内容、収容エリア、収容ノード等が例示される。
【００２１】
写真・映像共有プロファイル３０には、写真・映像情報ＤＢ１０のデータを特定するためのデータ指定データと、その共有条件である共有先指定データとの組が図示せぬ記録媒体にプロファイルとして記録されている。共有条件としては、写真・映像等のデータの共有を登録するサービス利用者氏名（ここでのＡ）、及び電話番号、共有写真、共有レベル、共有対象者となる接続先氏名（ここでのＢ）、接続先ＳＴＢ−ＩＰアドレス等が例示される。また、後述する類似のプロファイルにも同じ形式が好適に用いられる。
【００２２】
共有接続プロファイル４０には、写真・映像共有サービス利用者ＩＤを取得したサービス利用者の共有接続条件が共有先指定データとして図示せぬ記録媒体にプロファイルとして記録されている。共有接続条件としては、サービス利用者氏名、及び電話番号、接続先氏名、接続先電話番号、接続先ＳＴＢ−ＩＰ電話番号、接続先ＳＴＢ−ＩＰアドレス、接続履歴等が例示される。
【００２３】
情報ポータル５０はＷｅｂサーバ機能を有し、加入者からのアクセスネットワークを介した接続の際にＷｅｂブラウザメニューを配信する。情報ポータル５０には、Ｗｅｂブラウザメニューの表示用データ等が図示せぬ記録媒体に記録されている。メニューは、ＸＨＴＭＬ（Ｅｘｔｅｎｓｉｂｌｅ  Ｈｙｐｅｒ  Ｔｅｘｔ  Ｍａｒｋｕｐ  Ｌａｎｇｕａｇｅ）による記述が好適である。
【００２４】
写真・映像共有ポータル６０もまたＷｅｂサーバ機能を有し、ＳＴＢ写真共有制御サーバとして加入者からのアクセスネットワークを介した接続の際にＷｅｂブラウザ上に表示される写真・映像等の情報リストを配信する。写真・映像共有ポータル６０には、Ｗｅｂブラウザメニューの表示用データ、及び写真・映像等のデータが図示せぬ記録媒体に記録されている。
【００２５】
ＳＩＰ接続制御部７０は、ＳＩＰを使うシステムの構成要素であるＳＩＰサーバ、その中でも、ＳＩＰプロキシサーバ、及びＳＩＰレジストラとしての機能を有する。具体的には、ＳＩＰクライアント間の通信の際に、ＳＩＰ端末からの問い合わせを受け取って中継し、他のＳＩＰ端末又はＳＩＰサーバ（ロケーションサーバ）に転送するものである。ここでは、前述の共有接続プロファイル４０がロケーションサーバ（ＳＴＢプレゼンス（在籍管理情報、すなわち在・不在状況）サーバ）の役割を担うことになる。このようにＳＩＰは、接続先のプレゼンス情報が取得でき、また接続先の電話番号、及びメールアドレス等を用いなくても速やかに連絡が取れるため、写真・映像等の共有を行う本発明に用いるプロトコルとしては好適である。
【００２６】
アクセスネットワーク制御対応部１００は、映像配信サービスシステムのヘッドエンド２００内の装置群と接続するとともに、各加入者宅の端末のＳＴＢ８０及び８１ともアクセスネットワークを介して接続している。アクセスネットワーク制御対応部１００は、アクセスネットワークの制御及び管理を行う機能を有する。具体的には、加入者のネットワーク利用時における認証、許可された加入者へのネットワークサービスの提供といったセッションの管理、及び通信の中継等を行うものである。映像配信サービスシステムのヘッドエンド２００内の装置群と加入者との間の通信、及び各加入者間の通信は全て、このアクセスネットワーク制御対応部１００を介して行われる。アクセスネットワーク制御対応部１００は、ＤＨＣＰ（Ｄｙｎａｍｉｃ  Ｈｏｓｔ  Ｃｏｎｆｉｇｕｒａｔｉｏｎ  Ｐｒｏｔｏｃｏｌ（ダイナミック  ホスト  コンフィギュレーション  プロトコル））サーバ機能を有し、各ＳＴＢが接続する度に、プライベートＩＰアドレスが動的に割り当てられる。これが、各ＳＴＢの端末指定データとなり、ヘッドエンドが、個別のＳＴＢを特定するために用いられる。本発明においては、各ＳＴＢに付与された識別情報（ＳＴＢＩＤ）、及びＳＴＢに挿入されるＣＡＳカードのＣＡＳＩＤ等の使用については問うていないものの、これらの情報を用いても構わないし、更にＭＡＣアドレス（Ｍｅｄｉａ  Ａｃｃｅｓｓ  Ｃｏｎｔｒｏｌ  Ａｄｄｒｅｓｓ）情報を用いても良い。これらの情報と、本発明で認証時に用いられているＳＴＢのＩＰアドレス情報とを組み合わせることでより強固な認証時のセキュリティを組み、不正アクセスを防止することができる。
【００２７】
ＳＴＢ８０及び８１は、それぞれが異なる２世帯の加入者宅に設置された端末のみが例示されたものであり、実際には更に多数の加入者宅の端末が本発明のシステムに接続されている。ＳＩＰに対応したＳＴＢ８０及び８１は、通信相手との相互接続を行うためのセッションを管理する機能を有し、これは、ＳＩＰにおけるユーザエージェント（Ｕｓｅｒ  Ａｇｅｎｔ）に相当するものであり、映像配信サービスシステムのアクセスネットワーク制御対応部１００を介して相互に接続している。ＳＴＢとは、テレビに接続して様々なサービスを受けられるようにする機器であり、図１に示された一例の場合には、加入者（Ａ）宅のＳＴＢ８０は、テレビ９０に接続しており、加入者（Ｂ）宅のＳＴＢ８１は、テレビ９１に接続している。映像配信サービスシステムから送信される映像等をＳＴＢ８０及び８１が受信し、テレビ９０及び９１がその表示を行う。各加入者宅の端末のＳＴＢ８０及び８１は、図示せぬ主制御部と図示せぬ記憶部とを有しており、主制御部は記憶部に接続している。その記憶部は図示せぬ制御部を有しており、その制御部は主制御部が実行するプログラムが記録されている。そのプログラムによってＳＴＢメニューの表示が行われ、加入者がメニューを選択することで、ヘッドエンド２００、及びその内部との情報のやり取りを行うことを実現している。なお、ＳＴＢ８０及び８１には、自動接続先として情報ポータル５０が登録されており、ＳＴＢ（Ｗｅｂブラウザ）メニューから情報ポータルを選択すると、アクセスネットワークを介して情報ポータル５０への接続要求が自動的に行われる。また、ＳＴＢ８０及び８１は、ＷＷＷの情報を閲覧するためのＷｅｂブラウザを有しており、Ｗｅｂサーバ等から提供される情報を表示することができる。また、ＳＴＢ８０及び８１には、図示せぬ写真・映像入力部を有する。写真・映像入力部は、フラッシュメモリーカード及びＤＶＤ等の読取装置であるか、カメラとのケーブル接続用のＵＳＢ、及びＳ映像入出力端子等の入力端子であるかを問わない。また、ＳＴＢ８０及び８１には、図示せぬ写真・映像出力部を有する形態としてプリンタ等を取り付けても構わない。また、ＳＴＢ８０及び８１には、端末毎に図示せぬ情報入力部を含む。情報入力部は、キーボード、マウス等の直接接続する装置であるか、リモートコントローラ等の遠隔操作器であるかを問わない。また、テレビ９０及び９１の表示面に接して設けられたタッチパネルからの入力に対応する形態としても良く、携帯電話、コンピュータ等の外部装置からの入力に対応する形態としても良い。更に、ＳＴＢ８０及び８１には、音声入出力装置としてマイク及びスピーカーが接続しており、アクセスネットワーク制御対応部１００を介して相互に音声情報のやり取り、すなわち通話が可能である。また、情報のやり取りは通話に限定されるものではなく、Ｗｅｂカメラ等を用いた映像通話が可能な構成としても良い。
【００２８】
図２は、本発明の実施形態における写真・映像共有サービスシステムの動作を示す構成図である。図２を参照すると、本発明による写真・映像共有サービスシステムの実施の形態は、加入者（Ａ）宅が、共有したい写真・映像を登録し、加入者（Ｂ）宅が、共有された写真・映像を閲覧する一例を示したものである。
【００２９】
まず、写真・映像を共有したい加入者（Ａ）は、写真・映像共有サービスシステムを利用する前に、利用登録を行い、写真・映像共有サービス利用者ＩＤを取得する。写真・映像共有サービス利用者ＩＤの取得者のみが、共有したい写真・映像等のデータを写真・映像情報ＤＢ１０へのアップロードが可能となる。なお、ここではパスワードの使用については問うていないものの、写真・映像共有サービス利用者ＩＤの取得とともにパスワードの登録を行っても良い。写真・映像共有サービス利用者ＩＤとパスワードとを組み合わせることで、より強固なセキュリティが確保される。利用登録は、端末のＳＴＢ８０のプログラムによって表示されるＳＴＢメニューから行われる。加入者（Ａ）が、ＳＴＢメニューの利用登録を選択すると、サービス利用者氏名の情報がヘッドエンド２００に送信され、そして共有接続プロファイル４０に記録される。
【００３０】
写真・映像共有サービス利用者ＩＤの取得者に対しては、各々の共有接続条件が作成され、その情報は共有接続プロファイル４０に記録される。具体的には、写真・映像共有サービス利用者ＩＤの取得者である加入者（Ａ）がＳＴＢ８０によって表示されるＳＴＢメニューから共有接続条件として接続先氏名を指定すると、その情報がヘッドエンド２００に送信される。ヘッドエンド２００は、映像配信サービス加入者管理情報ＤＢ２０を参照し、接続先のＳＴＢのＩＰアドレス情報等を含む共有先指定データを共有接続プロファイル４０に格納する。ここで、共有先指定データは、接続先を特定するためのデータであり、簡単のために加入者には接続先氏名として表示されている。接続先氏名をここで指定しているため、後に写真・映像を共有する際の共有条件の設定が容易になる。なお、接続先の追加登録は随時可能である。
【００３１】
加入者（Ａ）宅で、ＳＴＢ８０の写真・映像入力部にこれから共有を行う写真・映像等のデータが格納された機材を接続し、ＳＴＢ８０のプログラムのＳＴＢメニューから写真・映像アップロードを選択すると、その要求がヘッドエンド２００に送信される。ヘッドエンド２００は、共有接続プロファイル４０を参照し、プロファイルとして記録されている写真・映像共有サービス利用者ＩＤの一覧を読み出し、その中に加入者（Ａ）宅が含まれるかを確認する。加入者（Ａ）宅が写真・映像共有サービス利用者ＩＤを有していることが確認されると、ヘッドエンド２００は、共有先指定データを共有接続プロファイル４０から読み出し、写真・映像共有ポータル６０に格納する。また、ヘッドエンド２００は、写真・映像共有ポータル６０に、写真・映像アップロードＷｅｂブラウザメニューを送信するように命令する。そのメニューは、ＳＴＢ８０で受信されてテレビ９０に表示される。加入者（Ａ）が、テレビ９０画面上で、共有を行う写真・映像等を選択し、その共有条件、すなわち接続先氏名、及び共有レベルを指定すると、ＳＴＢ８０からヘッドエンド２００にその情報が送信される。そして、写真・映像等の情報であるデジタルデータは写真・映像情報ＤＢ１０に、写真・映像共有条件としてのデータ指定データ、及び共有先指定データの組は写真・映像共有プロファイル３０にそれぞれが写真・映像共有サービス利用者ＩＤと関連付けられて保存される。ここで、データ指定データとは、写真・映像情報ＤＢ１０内の個々のデジタルデータを特定するためのデータである。
【００３２】
アップロードが完了した写真・映像等のデータは、加入者（Ａ）宅においては、写真・映像共有ポータル６０からＳＴＢ８０に送信されるＷｅｂブラウザメニューからの選択によって確認のために視聴をすることができる。確認の後には、写真・映像共有ポータル６０からＳＴＢ８０に送信されるＷｅｂブラウザメニューから写真・映像共有サービスの利用開始を選択することで、その情報がヘッドエンド２００に送信され、写真・映像共有ポータル６０からの写真・映像等のデータの共有が始まる。この時点から。アップロードされた写真・映像等のデータの共有条件で指定された接続先からの閲覧が可能となる。
【００３３】
しかし、ここでは、コンピュータリテラシー、すなわちコンピュータについての知識及び利用能力の有無に関係なく写真・映像共有サービスシステムを利用できることを構想している。そのため、写真・映像等のデータの共有条件で指定された接続先の加入者（ここでのＢ）において特に意識することなくその写真・映像等のデータに到達することを実現するために、以下に示されるステップで処理が行われ、接続先の加入者を写真・映像の頁へと誘導する。
【００３４】
前述のように、共有接続プロファイル４０には、写真・映像共有サービス利用者ＩＤを取得したサービス利用者の共有接続条件がプロファイルとして記録されている。その中には、接続先ＳＴＢのＩＰ電話番号、及びＩＰアドレスが含まれている。その接続先ＳＴＢが、ネットワーク、すなわちヘッドエンド２００に接続する度に、そのＩＰ電話番号、及びＩＰアドレスがＳＩＰ接続制御部７０に周期的に登録されている。ここで、写真・映像共有サービスの利用の開始後においてＳＩＰ接続制御部７０は、その情報を共有接続プロファイル４０へ通知することで更新を行うようになる。また、ＩＰ電話エージェント間で接続、すなわちＳＩＰに対応したＳＴＢ間で通話する際にはＳＩＰ接続制御部７０が接続先のＩＰ電話番号からＩＰアドレスを検索し、通話接続処理を行う。その際にも、ＩＰ電話番号とＩＰアドレスとの関連情報を共有接続プロファイル４０へ通知することで、ＳＩＰ接続制御部７０は、接続先ＳＴＢのＩＰアドレスを管理している。
【００３５】
まず、加入者（ここでのＢ）が、共有された写真・映像等のデータを閲覧するために、ＳＴＢ８１に接続しているテレビ９１に表示されたＳＴＢ（Ｗｅｂブラウザ）メニューから自動接続先情報として予め登録されている情報ポータルを選択する指示を与える。すると、情報ポータル５０への接続要求がＳＴＢ８１自身を指定する端末指定データであるＩＰアドレス情報とともにヘッドエンド２００に送信される。ヘッドエンド２００は、共有接続プロファイル４０を参照し、プロファイルとして記録されている共有先指定データとしての接続先ＳＴＢ−ＩＰアドレスの一覧を読み出し、その中から加入者のＳＴＢ８１のＩＰアドレスと一致するものがあるかを検索する。接続先ＳＴＢ−ＩＰアドレスの一覧の中に加入者のＳＴＢ８１のＩＰアドレスと一致するものがなかった場合には、情報ポータル５０からのＷｅｂブラウザメニューが応答として送信される。一方、接続先ＳＴＢ−ＩＰアドレスの一覧の中に加入者のＳＴＢ８１のＩＰアドレスと一致するものがあった場合には、ヘッドエンド２００内部での処理の場が、情報ポータル５０から写真・映像共有ポータル６０へと切り替えられ、写真・映像共有ポータル６０からのＷｅｂブラウザメニューが応答としてＳＴＢ８１に送信される。また、ヘッドエンド２００は、加入者（Ｂ）の写真・映像共有プロファイル３０の条件に一致する写真・映像等のデータを写真・映像情報ＤＢ１０でデータ指定データに基づいて検索して該当するものを読み出し、写真・映像共有ポータル６０へと格納する。
【００３６】
ここで、加入者（Ｂ）がテレビ９１に表示されたＷｅｂブラウザメニューから写真・映像共有サービスを選択すると、ＳＴＢ８１から写真・映像共有ポータル６０への接続要求がヘッドエンド２００に送信される。ヘッドエンド２００は、写真・映像共有ポータル６０に、格納されている写真・映像等の情報が一覧表示される書式のＷｅｂページを作成するように命令する。そして、そのＷｅｂページが写真・映像共有ポータル６０からＳＴＢ８１に応答として送信され、テレビ９１に表示される。
【００３７】
この表示された一覧から各項目を選択することで、その命令がヘッドエンド２００を介して写真・映像共有ポータル６０に送信され、当該の写真・映像等のデータが写真・映像共有ポータル６０からＳＴＢ８１に送信、すなわちダウンロードさる。これによって、加入者（Ａ）によって共有されている写真・映像を加入者（Ｂ）が閲覧することができる。
【００３８】
上述のように、加入者（Ｂ）が、共有された写真・映像等のデータを閲覧するためには、ＳＴＢ８１及びテレビ９１の電源を入れ、画面に表示されたＷｅｂブラウザメニューから「情報ポータル」、「写真・映像共有サービス」及び「一覧表示されている写真・映像等のデータの項目」の３つを選択すると、共有されている写真・映像のＵＲＬ（Ｕｎｉｆｏｒｍ  Ｒｅｓｏｕｒｃｅ  Ｌｏｃａｔｏｒ）及び階層構造を意識することなく、閲覧できる仕組みである。なお、一層の簡単のために、「情報ポータル」、「写真・映像共有サービス」の選択の指示を省略し、加入者（Ｂ）が、ＳＴＢ８１及びテレビ９１の電源を入れると、共有されている写真・映像等の一覧が表示されるまでを自動的に行う形態としても良い。
【００３９】
更に、本発明においては、ＳＩＰを用いるシステム構成であり、また各ＳＴＢ（８０及び８１）がＳＩＰに対応しているため、各ＳＴＢ間では、接続されているマイク及びスピーカーを用いてＩＰ電話として通話できる。各ＳＴＢ間でＩＰ電話として通話を行いたい場合には、ＳＩＰ接続制御部７０（又は共有接続プロファイル４０）にＳＴＢ間通話モードを利用したい接続先を予め登録しておく必要がある。これは、写真・映像共有サービスシステムの利用登録の時点で設定され、また、接続先の追加登録は随時可能である。共有接続プロファイル４０（又はＳＩＰ接続制御部７０）はプレゼンスサーバとしての機能を有し、接続先として登録されたＳＴＢが、ネットワーク、すなわちヘッドエンド２００に接続する度に、そのプレゼンスが周期的に登録されている。なお、プレゼンスサーバは、上述の共有接続プロファイル４０、又はＳＩＰ接続制御部７０とは別に新たに設けても良い。ここでは、共有接続プロファイル４０がプレゼンスサーバであり、また通話接続情報ＤＢの役割も担うものとして説明を行う。
【００４０】
図３は、本発明の実施形態におけるＳＴＢ間通話サービスの概略図である。図３を参照すると、本実施例では、加入者（Ａ）がＳＴＢ通話モードで接続したい相手として加入者（Ｂ）がＳＩＰ接続制御部７０に既に登録してあり、また更に上述のように、加入者（Ａ）と加入者（Ｂ）とで写真・映像等のデータの共有が実現した後に、ＩＰ電話による通話を行うところである。
【００４１】
まず、加入者（Ａ）が、ＳＴＢ８０のＳＴＢメニューからＳＴＢ通話モードを選択し、接続先として加入者（Ｂ）を選択し、接続発呼を選択すると、ＳＩＰ接続制御部７０に向けて接続（発呼）が行われる。ＳＩＰ接続制御部７０は、共有接続プロファイル４０を参照し、加入者（Ｂ）が接続先として登録されているかを確認する。次に、加入者（Ｂ）が接続先として登録されている場合には、共有接続プロファイル４０を再度参照し、加入者（Ｂ）のＳＴＢ８１のプレゼンスを確認し、ＳＴＢ８１が接続可能状態であれば接続を要求する。接続を受けたＳＴＢ８１のＳＴＢメニューに表示されているＳＴＢ通話モードの接続先を加入者（Ｂ）が確認し、接続着呼を選択すると、確認応答がＳＴＢ８０に送信され、ＳＴＢ８０とＳＴＢ８１との間で通話が確立する。
【００４２】
以上によって、加入者（Ａ）宅が、共有したかった写真・映像を加入者（Ｂ）宅で閲覧しつつ、通話を行うことが、加入者（Ｂ）のコンピュータリテラシーの有無に関係なく実現できる。
【００４３】
（第２の実施形態）
本実施形態もまた、加入者（Ａ）宅が、共有したい写真・映像を登録し、加入者（Ｂ）宅が、共有された写真・映像を閲覧する一例を示しており、上述の第１の実施形態によるＳＴＢ間通話サービスを応用し、更に平易に写真を共有しようとするものである。図４は、本発明の第２の実施形態におけるＳＴＢ間写真共有サービスの概略図である。本実施例では、上述の第１の実施例における「写真・映像共有サービスの利用開始」が行われ、アップロードされた写真・映像の共有条件で指定された接続先からの閲覧が既に可能となっている状況からの説明を行う。
【００４４】
まず、加入者（Ａ）が、共有された写真・映像を閲覧するために、テレビ９０に表示された、ＳＴＢ８０によるＳＴＢ（Ｗｅｂブラウザ）メニューから写真共有モードを選択すると、ＳＴＢ８０から情報ポータル５０への接続要求がヘッドエンド２００に送信される。ヘッドエンド２００は、写真・映像共有プロファイル３０を参照し、加入者（Ａ）と関連付けられている写真・映像を写真・映像情報ＤＢ１０から読み出す。それとともに、ヘッドエンド２００は、共有接続プロファイル４０を参照し、加入者（Ａ）が予め登録したことでプロファイルとして記録されている共有する接続先を読み出す。ヘッドエンド２００は、読み出された写真・映像、及びその共有条件、並びに共有する接続先を写真・映像共有ポータル６０へと格納し、それらのデータに基づくＷｅｂブラウザメニューを構築する。そして、ヘッドエンド２００は、構築したＷｅｂブラウザメニューを写真・映像共有ポータル６０からの応答としてＳＴＢ８０に送信するように命令する。
【００４５】
次に、加入者（Ａ）が、ＳＴＢ８０で受信されてテレビ９０に表示されたＷｅｂブラウザメニューから、写真、及びその接続先を選択する。写真には、アップロードした際に登録した接続先が既に関連付けられているものの、ここで新たにその接続先を変更することもできる。
【００４６】
次に、加入者（Ａ）が、接続先（ここでは加入者（Ｂ））を選択し、接続発呼を選択すると、ＳＴＢ８０からＳＩＰ接続制御部７０に向けて接続（発呼）が行われる。ＳＩＰ接続制御部７０は、共有接続プロファイル４０を参照し、加入者（Ｂ）が接続先として登録されているかを確認する。次に、加入者（Ｂ）が、接続先として登録されている場合には、ＳＩＰ接続制御部７０は、共有接続プロファイル４０を再度参照し、加入者（Ｂ）のＳＴＢ８１のプレゼンスを確認し、ＳＴＢ８１が、接続可能状態であれば接続を要求する。ＳＩＰ接続制御部７０からの接続を受けたＳＴＢ８１は、ＳＴＢメニューとしてＳＴＢ写真共有モードの接続先をテレビ９１に表示する。
【００４７】
加入者（Ｂ）が、接続先を確認し、接続着呼を選択すると、確認応答が、ＳＴＢ８１からヘッドエンド２００に送信される。ヘッドエンド２００は、処理の場を情報ポータル５０から写真・映像共有ポータル６０へと切り替え、写真・映像共有ポータル６０に格納されている写真・映像情報が一覧表示される書式のＷｅｂページを作成する。そして、ヘッドエンド２００の命令によってそのＷｅｂページが写真・映像共有ポータル６０からＳＴＢ８１に応答として送信され、テレビ９１に表示される。
【００４８】
この表示された一覧から各項目を選択すると、その要求が、ヘッドエンド２００に送信され、その応答として、当該の写真・映像が写真・映像共有ポータル６０からＳＴＢ８１に送信、すなわちダウンロードされる。これによって、加入者（Ａ）によって共有されている写真・映像を加入者（Ｂ）が閲覧することができる。
【００４９】
上述のように、加入者（Ｂ）が、共有された写真・映像を閲覧するためには、ＳＴＢ８１を通して画面に表示された写真共有モードでの接続着呼要求に対し、接続先を確認した上での「接続着呼」、及び「一覧表示されている写真・映像の項目」の２つを選択するだけである。したがって、第１の実施形態よりも更に容易に、共有されている写真・映像のＵＲＬ及び階層構造を意識することなく、閲覧できる仕組みである。
【００５０】
更に、ここでは、第１の実施形態において説明を行った通話も同時に行うことができる。すなわち、図５は、本発明の第２の実施形態におけるＳＴＢ間写真共有及び通話サービスの概略図である。図５を参照すると、本実施例では、加入者（Ａ）がＳＴＢ通話モードで接続したい相手として加入者（Ｂ）がＳＩＰ接続制御部７０に既に登録してあり、また更に上述のように、加入者（Ａ）と加入者（Ｂ）とで写真・映像の共有が実現した後に、ＩＰ電話による通話を行うところである。
【００５１】
まず、加入者（Ａ）が、ＳＴＢ８０のＳＴＢメニューからＳＴＢ通話モードを選択し、接続先として加入者（Ｂ）を選択し、接続発呼を選択すると、ＳＴＢ８０からＳＩＰ接続制御部７０に向けて接続（発呼）が行われる。ＳＩＰ接続制御部７０は、共有接続プロファイル４０を参照し、加入者（Ｂ）が接続先として登録されているかを確認する。次に、加入者（Ｂ）が接続先として登録されている場合には、ＳＩＰ接続制御部７０は、共有接続プロファイル４０を再度参照し、加入者（Ｂ）のＳＴＢ８１のプレゼンスを確認し、ＳＴＢ８１が接続可能状態であれば接続を要求する。
【００５２】
そして、ＳＩＰ接続制御部７０からの接続を受けたＳＴＢ８１のＳＴＢメニューに表示されているＳＴＢ通話モードの接続先を加入者（Ｂ）が確認し、接続着呼を選択すると、ＳＩＰ接続制御部７０を介して確認応答がＳＴＢ８０に送信され、ＳＴＢ８０とＳＴＢ８１との間で通話が確立する。
【００５３】
以上によって、加入者（Ａ）宅が、共有したかった写真・映像を加入者（Ｂ）宅で実際にテレビ画面上で閲覧した上でダウンロードしつつ、写真の背景及び状況等についての通話を行うことが、加入者（Ｂ）のコンピュータリテラシーの有無に関係なく更に容易に実現できる。例えば、加入者（Ａ）宅が、旅行先で撮った写真を共有サーバにアップロードし、そして加入者（Ｂ）宅においてその写真をテレビ画面上で見て貰いながら、旅行先での状況を電話で話しをすることができる。
【００５４】
（第３の実施形態）
本実施形態においては、個人写真家が、作品の発表及び展示の場として商業的に運用を行い、加入者（Ａ）宅が、共有された写真・映像を閲覧する一例を示している。図６は、本発明の第３の実施形態におけるＳＴＢ間写真ギャラリーサービスの概略図である。図６を参照すると、個人写真家が登録した写真及びＢＧＭ（Ｂａｃｋｇｒｏｕｎｄ  ｍｕｓｉｃ（バックグラウンドミュージック））を加入者（Ａ）宅が閲覧及び聴取する一例を示している。
【００５５】
第１及び第２の実施形態からは、写真ギャラリープロファイル３１、ＢＧＭ情報ＤＢ１１、ＢＧＭ制御プロファイル３２、ＢＧＭ制御及び写真共有サーバ、並びに写真家用のＳＴＢ８２が追加された構成となっている。そして、これらの装置群は、前述の実施形態の装置群と同様に、ヘッドエンド２００内部に構築されたネットワークで相互に接続しており、またヘッドエンド２００の主制御部とも接続しており、そして、ヘッドエンド２００内の装置群のそれぞれは、図示せぬ主制御部と図示せぬ記憶部とを有しており、主制御部は記憶部に接続している。その記憶部は図示せぬ制御部を有しており、その制御部は主制御部が実行するプログラムが記録されている。そして、ヘッドエンド２００において記憶部の制御部に記録されたプログラムを主制御部が実行することによって、ヘッドエンド２００内の装置群は協働する。しかし、本実施形態は、この構成に限るものではなく、例えば、写真・映像情報ＤＢ１０がＢＧＭ情報ＤＢ１１の役割も担う等のようにその形態は自由に変更できる。なお、ここでは、第１及び第２の実施形態における写真・映像情報ＤＢ１０が課金用データベースの役割、及び写真・映像共有ポータル６０がＢＧＭ制御及び写真共有サーバの役割を担う形態で説明を行う。
【００５６】
まず、ＳＴＢ間写真ギャラリーサービスで有料にて展示を行いたい写真家は、利用登録を行い、第１及び第２の実施形態における写真・映像を共有したい加入者と同様に、共有したい写真・映像等のデータを写真・映像情報ＤＢ１０にアップロードが可能な状態にしておく。
【００５７】
また、第１及び第２の実施形態と同様に、利用登録を行った写真家に対しては、各々の共有接続条件が作成され、その情報は共有接続プロファイル４０に記録される。ここで、写真家の場合には、個人での共有とは異なり、全加入者を対象として写真家の展示内容の紹介が行われる必要があるため、共有接続プロファイル４０には、全加入者が接続先の対象として記録される。まて、利用登録を行った写真家は、ＳＴＢ８２から、写真登録要求、及びＢＧＭ登録要求が行えるようになる。
【００５８】
次に、写真家は、３つの部類に分けて写真のアップロードを行う。その３つとは、ギャラリー紹介用情報、無料プロモーション用写真、及び有料ギャラリー用写真である。写真家が、ＳＴＢ８２の写真・映像入力部にこれから共有を行う写真・映像等のデータが格納された機材を接続し、ＳＴＢ８２のプログラムのＳＴＢメニューから写真登録要求、写真ギャラリーモード、写真登録、内容条件確認、登録と続けて選択していくと、その要求がヘッドエンド２００に送信される。そして、ヘッドエンド２００の命令によって、写真・映像等の情報は写真・映像情報ＤＢ１０に、写真・映像共有条件は写真ギャラリープロファイル３１にそれぞれが写真家のＩＤと関連付けられて保存される。この際、ヘッドエンド２００は、共有接続プロファイル４０の参照を行う。これによって、ギャラリー紹介用情報、及び無料プロモーション用写真を全加入者に開放し、有料ギャラリー用写真を初期設定では全加入者が閲覧できない状態とした写真・映像共有条件が、有料ギャラリー写真等のコンテンツを指定するコンテンツ指定データと、課金対象端末を指定する課金先指定データとの組として写真ギャラリープロファイル３１に記録される。すなわち、写真ギャラリープロファイル３１は、課金用プロファイルとして使われる。
【００５９】
また、同様に、ＳＴＢ８２のプログラムのＳＴＢメニューからＢＧＭ登録要求、ＢＧＭ登録モード、内容確認、登録と続けて選択していくと、その要求が、ＳＴＢ８２からヘッドエンド２００に送信される。そして、ヘッドエンド２００の命令によって、ＢＧＭの情報はＢＧＭ情報ＤＢ１１に、ＢＧＭ共有条件はＢＧＭ制御プロファイル３２にそれぞれが写真家のＩＤと関連付けられて保存される。これによって、映像配信サービスシステムの各加入者が写真ギャラリーの閲覧、及びＢＧＭの聴取が可能な状態となる。
【００６０】
まず、加入者（Ａ）が、写真ギャラリーを閲覧するために、ＳＴＢ８０に接続しているテレビ９０に表示されたＳＴＢ（Ｗｅｂブラウザ）メニューから写真ギャラリーを選択すると、写真・映像共有ポータル６０への接続要求がヘッドエンド２００に送信される。ヘッドエンド２００は、写真ギャラリープロファイル３１を参照し、ギャラリー紹介用情報のデータを写真・映像情報ＤＢ１０で検索して該当するものを読み出し、写真・映像共有ポータル６０へと格納する。そして、ヘッドエンド２００の命令によって、ギャラリー紹介用情報が一覧表示される書式のＷｅｂブラウザメニューが構築され、写真・映像共有ポータル６０からの応答としてそのＷｅｂブラウザメニューがＳＴＢ８０に送信される。
【００６１】
ここで、加入者（Ａ）が、テレビ９０に一覧表示されたＳＴＢ８０によるＷｅｂブラウザメニューの中から希望するギャラリーを選択してから紹介情報提示を選択すると、ＳＴＢ８０から写真・映像共有ポータル６０への接続要求がヘッドエンド２００に送信される。ヘッドエンド２００は、写真ギャラリープロファイル３１を参照し、無料プロモーション用写真のデータを写真・映像情報ＤＢ１０で検索して該当するものを読み出し、写真・映像共有ポータル６０へと格納する。次に、ヘッドエンド２００は、写真・映像共有ポータル６０に格納されているギャラリー紹介用の情報、及び無料プロモーション用写真に基づいてＷｅｂページの作成を行う。そして、ヘッドエンド２００の命令によってそのＷｅｂページが、写真・映像共有ポータル６０からＳＴＢ８０に応答として送信され、テレビ９０に表示される。
【００６２】
加入者（Ａ）は、ギャラリー紹介用の情報、及び無料プロモーション用写真Ｗｅｂページを閲覧する。ギャラリー紹介用の情報、及び無料プロモーション用写真Ｗｅｂページの表示が終了すると、有料写真ギャラリーへの誘導が行われ、すなわち有料ギャラリー写真の利用選択画面が表示される。
【００６３】
加入者（Ａ）が、有料ギャラリー写真の閲覧を希望し、利用選択を行うと、ＳＴＢ８０から写真・映像共有ポータル６０への接続発呼、及びＢＧＭ接続要求がヘッドエンド２００に送信される。ヘッドエンド２００は、写真ギャラリープロファイル３１、及びＢＧＭ制御プロファイル３２に、有料ギャラリー写真の閲覧を許可するとした写真・映像共有設定条件を記録し、すなわち課金先指定データが書き込まれる。また、ヘッドエンド２００は、写真家が登録を行った有料ギャラリー用の写真を写真・映像情報ＤＢ１０から、またＢＧＭの情報をＢＧＭ情報ＤＢ１１から写真・映像共有ポータル６０へと格納し、ＢＧＭ付きの有料写真ギャラリーＷｅｂページを作成する。そして、ヘッドエンド２００の命令によって、そのＷｅｂページが写真・映像共有ポータル６０からＳＴＢ８０に応答として送信され、テレビ９０に表示される。
【００６４】
以上の手順を経ることで、写真家が登録した写真及びＢＧＭは、本発明による写真・映像共有サービスシステムを用いることによって映像配信サービスシステムの各加入者に共有がなされ、その中で、有料による利用を承諾した加入者は、有料写真ギャラリー、及びＢＧＭ等のＵＲＬ及び階層構造を意識することなくＢＧＭを聞きながら写真鑑賞ができる。本発明では、コンピュータリテラシーについての考慮がなされており、したがって写真家の観点においては、Ｗｅｂページの閲覧とは縁遠い層が配信の対象に含まれており、よって、新たな層へと向けた作品を発信する場となりうる。映像配信サービスシステムの運営側の観点では、写真家等の各個人が構築した有料の写真・映像等の情報配信を行ってビジネスとするユーザ課金モデルによる事業化が行えることになる。
【００６５】
（第４の実施形態）
上述の第３の実施形態を更に応用することで、広告収入モデルを形成することができる。本実施形態においては、個人写真家が、作品の発表及び展示の場として商業的に運用を行い、加入者（Ａ）宅が、共有された写真・映像を閲覧する一例を示しているのに加え、広告主が、出資することによってその閲覧料金を負担している。図７は、本発明の第４の実施形態におけるＳＴＢ間写真ギャラリーサービス広告モデルの概略図である。図７を参照すると、個人写真家が登録した写真及びＢＧＭを加入者（Ａ）宅が広告を許諾することによって無料で閲覧及び聴取する一例を示している。
【００６６】
第３の実施形態からは、ギャラリー広告プロファイル３３、広告プレゼンス４０、広告条件プロファイル３４、広告情報ＤＢ１２、及び広告効果情報ＤＢ１３が追加された構成となっている。そして、これらの装置群は、前述の実施形態の装置群と同様に、ヘッドエンド２００内部に構築されたネットワークで相互に接続しており、またヘッドエンド２００の主制御部とも接続しており、そして、ヘッドエンド２００内の装置群のそれぞれは、図示せぬ主制御部と図示せぬ記憶部とを有しており、主制御部は記憶部に接続している。その記憶部は図示せぬ制御部を有しており、その制御部は主制御部が実行するプログラムが記録されている。そして、ヘッドエンド２００において記憶部の制御部に記録されたプログラムを主制御部が実行することによって、ヘッドエンド２００内の装置群は協働する。しかし、本実施形態は、この構成に限るものではなく、例えば、写真ギャラリープロファイルがギャラリー広告プロファイルの役割も担う等のようにその形態は自由に変更できる。なお、ここでは、共有接続プロファイル４０が広告プレゼンスの役割も担う形態で説明を行う。
【００６７】
ここで、写真家が行う作業は、第３の実施形態とほぼ同様である。違いは広告の表示を許諾するかどうかであり、写真家が、広告の表示を許可しない場合には第３の実施形態と同一になり、一方で、許可する場合には、本実施形態による広告モデルが適用になる。その場合には写真家が、有料ギャラリー用写真をアップロードする際に、広告使用条件がギャラリー広告プロファイル３３に写真家のＩＤと関連付けられて保存される。この際、ヘッドエンド２００は、共有接続プロファイル４０の参照を行い、有料ギャラリー用写真が、広告の表示を伴う場合において全加入者に開放されるとした写真・映像共有条件が、写真ギャラリープロファイル３１に記録にされるように命令する。また、この場合には、ギャラリー紹介用の情報、及び無料プロモーション用写真Ｗｅｂページが、閲覧された後に、広告モデル選択画面を表示するような形態で作成されることになる。
【００６８】
また、本実施形態では広告主が、Ｗｅｂファイル、動画等による広告のアップロードを行う。この際には、複数の広告を用意し、加入者の住所、年齢、性別等の属性や興味の対象等によって適切な広告を配信することもできる。
【００６９】
まず、広告主は、広告のアップロード、及び配信条件の設定を行う。そして、広告の情報は広告情報ＤＢ１２に、配信条件は広告条件プロファイル３４にそれぞれが広告主の情報と関連付けられて保存される。この配信条件の設定によって上で述べた対象別の広告の配信が実現される。
【００７０】
加入者（Ａ）が、ギャラリー紹介用の情報、及び無料プロモーション用写真Ｗｅｂページを閲覧するところまでは、第３の実施形態と同様である。ＳＴＢ８０を介したテレビ９０上でのギャラリー紹介用の情報、及び無料プロモーション用写真Ｗｅｂページの表示が終了すると、広告モデル選択画面が表示される。
【００７１】
ここで、加入者（Ａ）は、広告モデルの許諾、又は拒否を選択することになる。もし、広告モデルの拒否を選択した場合には、以後の工程は第３の実施形態と同一である。すなわち有料ギャラリー写真の利用選択画面が表示され、その後、利用選択を行うことで、ＢＧＭ付きの写真ギャラリーを有料で視聴できる。一方、広告モデルの許諾を選択すると、有料ギャラリー写真の閲覧の前後等に表示される広告を視聴することを条件として課金対象であった有料ギャラリー写真のすべてが無料で自由に視聴できるようになる。各加入者による広告モデルの許諾、又は拒否の情報は、ＳＴＢ８０からヘッドエンド２００へと送信され、広告プレゼンス（共有接続プロファイル）４０に記録される。そして、その応答としてヘッドエンド２００は、ＳＴＢ８０に利用選択画面を表示させる。
【００７２】
加入者（Ａ）が、広告モデルの許諾を選択している場合には、有料ギャラリー写真の閲覧が無料で行える状態となっており、利用選択を行うと、ＳＴＢ８０から写真・映像共有ポータル６０への接続発呼、及びＢＧＭ接続要求がヘッドエンド２００に送信される。ヘッドエンド２００は、写真家が登録を行った有料ギャラリー用の写真を写真・映像情報ＤＢ１０から、またＢＧＭの情報をＢＧＭ情報ＤＢ１１から、また、更に、広告データを指定する広告データ指定データを格納する広告条件プロファイル３４を参照して広告の情報を読み出して、広告データベースである広告情報ＤＢ１２から写真・映像共有ポータル６０へと格納し、ＢＧＭ付きの写真ギャラリーＷｅｂページを広告付きで作成する。そして、ヘッドエンド２００の命令によって、そのＷｅｂページが写真・映像共有ポータル６０からＳＴＢ８０に応答として送信され、テレビ９０に表示される。この際に、第３の実施形態とは異なり、本実施形態では、写真ギャラリープロファイル３１、及びＢＧＭ制御プロファイル３２に、有料ギャラリー写真の閲覧を許可するとした写真・映像共有設定条件は記録しない。すなわち、広告プレゼンスが許諾の場合には、写真ギャラリープロファイル３１、及びＢＧＭ制御プロファイル３２の条件にかかわらず、有料ギャラリー用の写真を広告付きの条件で無料視聴できる仕組みである。
【００７３】
本実施形態においては、広告効果情報ＤＢ１３を設置することも可能である。これは、広告情報１２に記録された広告が、どのような属性の加入者に何回閲覧されたか、及び広告から他サイトへのアクセスがいくつあったか等を記録しても良い。また、広告を複数用意し、加入者に選択させる形態とし、その数を記録するようにしても良い。この結果に基づいて広告条件プロファイル３４を更に最適化するのに好適である。このように、広告効果情報ＤＢ１３は、広告主の自由な発想で使用可能なものであり、使い方によっては、ビジネスの宣伝強化につながる非常に有用なシステムになりうるものである。
【００７４】
以上の手順を経ることで、写真家が登録した写真及びＢＧＭは、本発明によるデジタルデータ共有サービスシステムを用いることによって映像配信サービスシステムの各加入者に共有がなされる。また、広告主が登録した広告は、写真家が登録した写真及びＢＧＭに組み合わされて各加入者に配信される。また、広告主は、広告効果情報を使うことで宣伝効果の判断基準になりうる。また、有料による利用を承諾した加入者は、有料写真ギャラリー、及びＢＧＭ等のＵＲＬ及び階層構造を意識することなくＢＧＭを聞きながら写真鑑賞ができる。一方で、広告を許諾した加入者は、有料写真ギャラリー、及びＢＧＭ等のＵＲＬ及び階層構造を意識することなくＢＧＭを聞きながら写真鑑賞が無料でできる。本発明では、コンピュータリテラシーについての考慮がなされており、したがって広告主の観点からは、Ｗｅｂページの閲覧とは縁遠い層が配信の対象に含まれており、よって、新たな客層を開拓する場となりうる。そして、映像配信サービスシステムの運営側の観点では、写真家等の各個人が構築した有料の写真・映像等の情報配信を行うことでビジネスとするユーザ課金モデル、及び有料の写真・映像等の情報を広告主の提供によって配信を行うことでビジネスとする広告収入モデルによる事業化が行えることになる。これは、第１及び第２の実施形態と組み合わせても良く、その場合には運営側は、個人間の共有においても広告収入を得ることができる。
【００７５】
本発明は、インターネットの普及に伴ってファイル共有サイト、及びオンラインストレージ等によって整備されたネットワークを介した個人間レベルでの写真・映像等のデジタルデータの共有が可能な基盤から更に歩を進めるシステムを提供するものである。すなわち、こうした基盤を利用するために、また、共有されたデータの受信側に特に必要とされてきたコンピュータリテラシー、又は携帯電話でのインターネットリテラシーに依存せずに使いやすいシステムが提供される。また単に、テレビに、インターネットＷｅｂシステムの利用ができる機能を搭載するのではなく、テレビを端末とした個人間で、写真・映像等のデータの共有が容易に可能な基盤が形成される。
【００７６】
本発明によれば、デジタルデータの投稿者が、写真・映像等のデジタルデータの共有条件の登録を行うことによって、データの受信者は、インターネットの複雑なポータル階層をブラウジング（ブラウザを利用し情報を閲覧）することなく、またインターネットのＵＲＬ等を意識することなく、共有された写真・映像等のデジタルデータ情報のポータルへと簡単にかつ自動で接続され、共有された写真・映像等のデジタルデータの利用ができる。
【００７７】
本発明では、各個人がめいめいにアップロードした膨大な数のデジタルデータのアクセス権を放送型映像配信サービスシステムの運営側が逐一設定することは事実上不可能であったものをアップロードした各自が設定することで解消している。これによって、個人がアップロードした写真及び映像等のデジタルデータをＶＯＤのように個別要求に基づいて視聴することを実現している。また、写真家等の各個人が構築した有料の写真・映像等の情報の配信を行うことでビジネスとするユーザ課金モデル、及び有料の写真・映像等の情報を広告主の提供によって配信を行うことでビジネスとする広告収入モデルの導入によって経済的に不利な個人間の共有での利用においても事業化が行えることになる。
【００７８】
以上、本発明では、コンピュータネットワークに接続された複数利用者がテレビを端末として、各個人がアップロードしたデジタルデータを、その個人の指定した共有先指定データに該当する共有許容メンバーに対して許容するデジタルデータをリストアップする自動ポータルガイダンスを提供する。また、共有許容メンバーがテレビを端末としてコンピュータネットワークに接続をした際にその端末指定データと共有先指定データとの一致を監視しポータルへ自動接続し直接デジタルデータリストから選択できるようにする。そして、同時に接続しているメンバー間でポータルを共有することでデジタルデータの同期配信制御を行い、デジタルデータの自動共有を提供するデジタルデータ共有サービス端末、デジタルデータ共有サービス方法、デジタルデータ共有サービス用プログラム、及びデジタルデータ共有サービスシステムを提供する。
【００７９】
以上、本発明の実施形態を説明した。しかし、本発明は上記実施形態に限定されるものではなく、本発明の要旨を逸脱しない範囲内で種々変形して実施することができる。
【符号の説明】
【００８０】
１０  写真・映像情報ＤＢ
１１  ＢＧＭ情報ＤＢ
１２  広告情報ＤＢ
１３  広告効果情報ＤＢ
２０  映像配信サービス加入者管理情報ＤＢ
３０  写真・映像共有プロファイル
３１  写真ギャラリープロファイル
３２  ＢＧＭ制御プロファイル
３３  ギャラリー広告プロファイル
３４  広告条件プロファイル
４０  共有接続プロファイル（広告プレゼンス）
５０  情報ポータル
６０  写真・映像共有ポータル（ＢＧＭ制御及び写真共有サーバ）
７０  ＳＩＰ接続制御部
８０  セットトップボックス（ＳＴＢ）（加入者（Ａ）宅）
８１  セットトップボックス（ＳＴＢ）（加入者（Ｂ）宅）
８２  セットトップボックス（写真家）
９０  テレビ（加入者（Ａ）宅）
９１  テレビ（加入者（Ｂ）宅）
１００  アクセスネットワーク制御対応部
２００  ヘッドエンド
【図１】
0005605673.tif 000002
【図２】
0005605673.tif 000003
【図３】
0005605673.tif 000004
【図４】
0005605673.tif 000005
【図５】
0005605673.tif 000006
【図６】
0005605673.tif 000007
【図７】
0005605673.tif 000008